(57)【要約】【課題】  上下方向の振動に対して棚板のラック本体からの離脱が起こり難いだけでなく、きめ細かくレイアウトを調整して大きさの異なる複数種類の物品を合理的に保管できる物品保管庫を提供する。【解決手段】  両側内壁面１ａに複数の係止孔１ｂを有するラック本体１と、このラック本体１に収納される上下複数段の棚板２と、ラック本体１の係止孔１ｂに係合する突起を有し、棚板２を両側で支持する棚板ホルダとを備え、ラック本体１は、係止孔１ｂが所定ピッチで上下等間隔に配列されている等間隔区域を上下に複数有し、この上下等間隔に配列されている等間隔区域の間に係止孔間隔が所定ピッチより小さい変則配置部を設けた。【選択図】      図１
2005112536.tif 000002
【特許請求の範囲】
【請求項１】
両側内壁面に複数の係止孔を有するラック本体と、
このラック本体に収納される上下複数段の棚板と、
ラック本体の係止孔に係合する突起を有し、棚板を両側で支持する棚板ホルダとを備え、
上記ラック本体は、係止孔が所定ピッチで上下等間隔に配列されている等間隔区域を上下に複数有し、
上記各等間隔区域の間に係止孔間隔が上記所定ピッチより小さい変則配置部を設けたことを特徴とする物品棚。
【請求項２】
上記ラック本体は、上下に３等分した中間の区域に所定ピッチで棚板が並ぶように等間隔に係止孔を配列する中間等間隔区域を設け、
上記の中間等間隔区域の上側及び下側に所定ピッチの１／２の間隔の変則配置部をそれぞれ設け、
上側の変則配置部の上側に所定ピッチの等間隔の上側等間隔区域を設け、
さらに下側の変則配置部の下側に所定ピッチの等間隔の下側等間隔区域を設けたことを特徴とする請求項１記載の物品棚。
【請求項３】
上記中間等間隔区域を１０等分する位置に係止孔を配列するように上記所定ピッチを設定したことを特徴とする請求項２に記載の物品棚。
【請求項４】
上記棚板は、長手方向を有し、この棚板の長手方向に物品を仕切る仕切り板を有し、
上記仕切り板は、棚板に設けられた側壁とスライド可能に係合するスライド部を一端に有することを特徴とする請求項１ないし請求項３のいずれかに記載の物品棚。
【請求項５】
上記棚板は、物品を棚板の幅方向に仕切る仕切り棒を備え、
上記仕切り板は、仕切り棒を挿通可能な少なくとも１個の仕切り棒挿通孔を有することを特徴とする請求項４に記載の物品棚。
【請求項６】
上記仕切り板は、上下左右に複数列の仕切り棒挿通孔を有することを特徴とする請求項５に記載の物品棚。
【請求項７】
上記棚板は、物品を受け入れ可能な開放姿勢と、物品の側方への傾倒を規制する規制姿勢との間で姿勢変更可能な規制棒を棚板の側方に備えており、この規制棒は、棚板の上下方向の溝に沿ってスライド可能となることにより開放姿勢と、規制姿勢との間で姿勢変更可能となっていることを特徴とする請求項１ないし請求項６に記載の物品棚。
【請求項８】
請求項１ないし請求項７のいずれかに記載のラック本体を棚板の幅方向に並べて収納するとともに、それぞれのラック本体を棚板の長手方向に引き出し可能とすることを特徴とする物品保管庫。
【請求項９】
物品として薬品類を収納するものであることを特徴とする請求項８に記載の物品保管庫。
【発明の詳細な説明】
【技術分野】
【０００１】
本発明は、例えば大小さまざまな薬瓶を収納する薬品棚や物品棚及び物品保管庫など、物品を整理収納する物品棚及び物品保管庫に関するものである。
【背景技術】
【０００２】
一般に、大小さまざまな薬瓶を収納する薬品棚や物品棚及び物品保管庫など、物品を整理収納する物品棚及び物品保管庫として、ラック本体と、このラック本体に収納される上下複数段の棚板とを備えたものが知られている。
【０００３】
そして、このような物品棚及び物品保管庫は、一般に、ラック本体の両側内壁面に複数の係止孔が所定ピッチで上下等間隔に設けられており、この係止孔に直接棚板が係止されたり、あるいは、この係止孔に係合する突起を有する棚板ホルダを介して間接的に棚板がラック本体に支持されていた。
【発明の開示】
【発明が解決しようとする課題】
【０００４】
しかしながら、従来のラック本体に直接棚板を係止するタイプの物品保管庫では、棚板の係止突起の長さを長くすると、棚板のピッチが大きくなるために、大瓶、小瓶の薬ビンなど多種多様な形態の物品に対してきめ細かくレイアウトを調整して大きさの異なる複数種類の物品を合理的に保管することができず、棚板のレイアウトの多様性を高めることができないという問題があった。
【０００５】
このため、棚板の係止突起の長さを大きくすることには、限界があり、その結果、物品の出し入れなどの際の上下方向の振動により棚板のラック本体からの離脱が起こり易いという不具合があった。
【０００６】
本発明は上記不具合に鑑みてなされたものであり、上下方向の振動に対して棚板のラック本体からの離脱が起こり難いだけでなく、きめ細かくレイアウトを調整して大きさの異なる複数種類の物品を合理的に保管できる物品棚及び物品保管庫を提供することを課題としている。
【０００７】
なお、本願に記載する物品棚及び物品保管庫は、出願人の知る限りでは本願出願に類する公知例が無いため、本出願の時点では開示すべき先行技術文献情報は保有していない。
【課題を解決するための手段】
【０００８】
上記課題を解決するための本発明に係る物品棚は、両側内壁面に複数の係止孔を有するラック本体と、このラック本体に収納される上下複数段の棚板と、ラック本体の係止孔に係合する突起を有し、棚板を両側で支持する棚板ホルダとを備え、上記ラック本体は、係止孔が所定ピッチで上下等間隔に配列されている等間隔区域を上下に複数有し、この上下等間隔に配列されている等間隔区域の間に係止孔間隔が上記所定ピッチより小さい変則配置部を設けたことを特徴とする物品棚である。
【０００９】
本発明によれば、ラック本体の両側内壁面に複数の係止孔が設けられ、また棚板ホルダに突起が設けられているので、棚板ホルダに棚板の両側を支持させながら突起を係止孔に係合させることにより、間接的に上下複数段の棚板をラック本体に収納することができる。このように、係合突起を有する棚板ホルダを用いることにより、直接ラック本体に棚板を係止する場合と比較して、係止孔の開口を小さくした状態であっても上下方向の振動に対して棚板のラック本体からの離脱を起こり難くすることができる。
【００１０】
また、このラック本体には、係止孔が所定ピッチ（Ｐ）で等間隔に配列されている等間隔区域を複数有するとともに、この等間隔区域の間に係止孔間隔が所定ピッチより小さい変則配置部（係止孔間隔α＜Ｐ）を設けているので、棚板の位置の選択により棚板間隔を所定ピッチの整数倍（ｎＰ）としたり、（ｎＰ＋α）としたりすることができ、棚板のレイアウトの多様性を高めることができる。
【００１１】
その結果、きめ細かくレイアウトを調整して大きさの異なる複数種類の物品を合理的に保管することができるようになる。
【００１２】
さらに、このことにより、α分の間隔調整を可能としつつ大部分はＰのピッチでよいので、全体の係止孔のピッチを一律に小さくする必要がなくなる。
【００１３】
次に、上記ラック本体は、上下に３等分した中間の区域に所定ピッチで棚板が並ぶように等間隔に係止孔を配列する中間等間隔区域を設け、上記の中間等間隔区域の上側及び下側に所定ピッチの１／２の間隔の変則配置部をそれぞれ設け、上側の変則配置部の上側に所定ピッチの等間隔の上側等間隔区域を設け、さらに下側の変則配置部の下側に所定ピッチの等間隔の下側等間隔区域を設けたことを特徴とする請求項１記載の物品棚であることが好ましい。
【００１４】
この好ましい態様によれば、ラック本体（高さＨ）を上下に３等分し、中間の区域に所定ピッチで棚板が等間隔に並ぶ中間等間隔区域を設けるとともに、この中間等間隔区域の上下に設けられた所定ピッチの１／２の間隔の変則配置部と、上側等間隔区域と、下側等間隔区域とをそれぞれ設けているので、等間隔３段に配列できる他に、棚板上スペースがＨ／３＋Ｐの大スペースを1段、Ｈ／３−１／２Ｐの小スペースを２段とする不等間隔３段配置が可能となる。しかも、大スペースを下段、中段、上段のいずれにも配置することができる。
【００１５】
また、上記中間等間隔区域は、１０等分する位置に係止孔を配列するように上記所定ピッチを設定することが好ましい。
【００１６】
この好ましい態様によれば、中間等間隔区域は、１０等分する位置に係止孔を配列するように所定ピッチを設定しているので、Ｐ＝Ｈ／３／１０＝Ｈ／３０となり、また、所定ピッチの１／２の間隔は、Ｈ／６０となる。この結果、上側変則配置部から上に所定ピッチ２つ目の位置は、上からＨ／３−Ｈ／６０−２×Ｈ／３０＝（２０−１−４）Ｈ／６０＝Ｈ／４の高さとなり、下側変則配置部から下に所定ピッチ２つ目の位置は、２Ｈ／３＋Ｈ／６０＋２×Ｈ／３０＝（４０＋１＋４）Ｈ／６０＝３Ｈ／４となる。そして、このほか、ラック本体（高さＨ）を上下に２等分することもできるので、結果として等間隔４段にも配列することができるようになる。このように、レイアウトの多様性と、ラック本体の棚板支持剛性と、外観との間でバランスのよい物品棚とすることができる。
【００１７】
また、上記棚板は、長手方向を有し、この棚板の長手方向に物品を仕切る仕切り板を有し、上記仕切り板は、棚板に設けられた側壁とスライド可能に係合するスライド部を一端に有することが好ましい。
【００１８】
この好ましい態様によれば、棚板の側壁に複数個設けられた溝を選択してこの溝に仕切り板を差し込むような場合と異なり、棚板の側壁に沿って長手方向に仕切り板をスライドさせるだけで、仕切り板の仕切り位置を無段階に簡単に変更することができる。その結果、棚板のスペース効率が改善され、また物品の転倒もより良く防止される。
【００１９】
また、この仕切り板のスライド部は、仕切り板の一端にのみ設けられているので、仕切り板にスライド方向の力が働いても、この力の仕切り板にかかる曲げモーメントにより、スライド部の摩擦が増加する結果、スライド部が両端に設けられた場合と比較して、不用意に位置がずれることがなく、物品の転倒もより良く防止される。
【００２０】
また、上記棚板は、物品を棚板の幅方向に仕切る仕切り棒を備え、上記仕切り板は、仕切り棒を挿通可能な少なくとも１個の仕切り棒挿通孔を有していることが好ましい。
【００２１】
この好ましい態様によれば、仕切り棒が物品を棚板の幅方向に仕切るとともに、仕切り板に設けられた仕切り棒挿通孔がこの仕切り棒を挿通することができるので、物品を棚板の幅方向に仕切った状態で、かつ仕切り棒を取り付けたままで、仕切り板をスライドさせて長手方向の仕切り位置を変更することができる。
【００２２】
また、上記仕切り板は、上下左右に複数列の仕切り棒挿通孔を有することが好ましい。
【００２３】
この好ましい態様によれば、仕切り板に上下左右に複数列の仕切り棒挿通孔を設けているので、さまざまな高さや幅を有する物品に対応することができる。
【００２４】
また、上記棚板は、物品を受け入れ可能な開放姿勢と、物品の側方への傾倒を規制する規制姿勢との間で姿勢変更可能な規制棒を棚板の側方に備えており、この規制棒は、棚板の上下方向の溝に沿ってスライド可能となることにより開放姿勢と、規制姿勢との間で姿勢変更可能となっていることが好ましい。
【００２５】
この好ましい態様によると、規制棒が、棚板の上下方向の溝に沿ってスライド可能となることにより開放姿勢と、規制姿勢との間で姿勢変更可能となっているので、規制棒を棚板の斜め方向の溝に沿うようにスライドさせる場合と比較して、溝部をスライドコアで抜く必要がない。その結果、棚板の金型が単純なものになり、製作コストを低減させることができる。
【００２６】
また、上記課題を解決するための本発明に係る物品保管庫は、上述のラック本体を棚板の幅方向に並べて収納するとともに、それぞれのラック本体を棚板の長手方向に引き出し可能とすることを特徴とする物品保管庫である。
【００２７】
この本発明によれば、上述のラック本体を棚板の幅方向に並べるとともに、それぞれのラック本体を棚板の長手方向に引き出し可能とするので、レイアウトの多様性に対応しながら多数の物品を収納することができる使い勝手の良い物品保管庫を実現することができる。
【００２８】
そして、物品としては、薬品類を収納するものであることが好ましい。
【００２９】
この好ましい態様によれば、特に薬品類については大瓶、小瓶など多種多様な形態が存在するので、これらのレイアウトをし易く、無駄なスペースの少ない物品棚及び物品保管庫を実現することができる。
【発明の効果】
【００３０】
以上説明したように、本発明によれば、上下方向の振動に対して棚板のラック本体からの離脱が起こり難いだけでなく、きめ細かくレイアウトを調整して大きさの異なる複数種類の物品を合理的に保管できる物品棚及び物品保管庫を実現することができるという顕著な効果を奏する。
【発明を実施するための最良の形態】
【００３１】
以下、添付図面を参照しながら本発明の好ましい実施の一形態について詳述する。図１は本発明の実施の形態に係る物品保管庫２０の構成を示す斜視図であり、図２は本発明の実施の形態に係る物品保管庫２０の棚板２と棚板ホルダ３の構成を示す斜視図である。また、図３は本発明の実施の形態に係る物品保管庫２０の棚板２と棚板ホルダ３とをラック本体１に取り付ける要領を示す断面図である。
【００３２】
図１〜図３を参照して、図示の本発明の実施の形態に係る物品保管庫２０は、物品として、例えば大瓶、小瓶など多種多様な形態の薬瓶４、その他の薬品を立体的に整理収納する物品棚１０を３列並べて収納する物品保管庫２０であって、この物品保管庫２０は、ステンレス製の矩形の保管庫本体２１と、詳細は図示しないが物品棚１０を支持しながら棚板２の長手方向に引き出し可能なスライド手段を有し、３つの物品棚１０は、それぞれ保管庫本体２１の内部に収容した収容姿勢と、側方に引き出された引き出し姿勢との間で姿勢を変更することが可能なように構成されている。
【００３３】
また、この物品棚１０は、両側内壁面１ａに複数の係止孔１ｂを有するラック本体１と、このラック本体１に収納される上下複数段の棚板２と、ラック本体１の係止孔１ｂに係合する突起３ａ（図２）を有し、棚板２を両側で支持する棚板ホルダ３とを備えている。
【００３４】
上記ラック本体１は、それぞれの物品棚１０において、矩形の枠状に組み立てられたステンレス製の部材であり、両側内壁面１ａに複数の係止孔１ｂを有し、図３に示すように、このラック本体１の係止孔１ｂに棚板ホルダ３の突起３ａを係合させるとともに、この棚板ホルダ３に棚板２の両側を支持させることによりラック本体１に棚板２を保持するように構成されている。
【００３５】
図２を参照して、上記棚板２は、長手方向を有する合成樹脂からなる矩形のトレー状部材であり、大瓶、小瓶など多種多様な形態の薬瓶４（図１）、その他の薬品を平面的に並べて収納するようになっている。
【００３６】
また、この棚板２は、棚板２に設けられた側壁２ｂとスライド可能に係合するスライド部２ｃを一端に有する仕切り板２ａを備えており、この仕切り板２ａにより、棚板２の長手方向に物品を仕切ることができるようになっている。
【００３７】
そして、この棚板２は、棚板２の長手方向に沿うように設けられ、物品を棚板２の幅方向に仕切る仕切り棒２ｄを備え、この仕切り棒２ｄは、仕切り板２ａに設けられた上下左右に複数列の仕切り棒挿通孔２ｅに挿通されている。
【００３８】
さらに、この棚板２は、物品を受け入れ可能な開放姿勢と、物品の側方への傾倒を規制する規制姿勢との間で姿勢変更可能な規制棒２ｆを棚板２の側方に備えており、この規制棒２ｆは、棚板２の上下方向の溝に沿ってスライド可能となっている。
【００３９】
上記棚板ホルダ３は、ステンレス板を加工してなる受け部材であり、それぞれラック本体１の係止孔１ｂに係合する２個の突起３ａを有し、この突起３ａをラック本体１の係止孔１ｂに係合させるとともに１つの棚板２に対して２個の棚板ホルダ３で棚板２の両側を支持することにより、間接的に棚板２をラック本体１に支持するように構成されている。
【００４０】
ここで、図４は、ラック本体１の両側内壁面１ａにおいて、棚板ホルダ３を支持するために設けられた係止孔１ｂの上下の配列と寸法を示す説明図であり、図中の一点鎖線は、それぞれの係止孔１ｂに支持された棚板２の物品保持面の位置を表している。
【００４１】
図４を参照して、このラック本体１は、ラック本体１の高さ６６０ｍｍ（Ａ−Ｄ間）を上下に３等分した中間の区域に所定ピッチで棚板２が並ぶように等間隔に係止孔１ｂを配列する中間等間隔区域（Ｂ−Ｃ間）を設け、この中間等間隔区域（Ｂ−Ｃ間）を、１０等分して係止孔１ｂを配列するように所定ピッチを２２ｍｍに設定している。
【００４２】
そして、この中間等間隔区域の上側（Ｅの位置）及び下側（Ｆの位置）に所定ピッチの１／２すなわち１１ｍｍの間隔の変則配置部をそれぞれ設けている。また、上側の変則配置部の上側に所定ピッチ２２ｍｍの等間隔の上側等間隔区域（Ａ−Ｅ間）を設けるとともに、さらに下側の変則配置部の下側に所定ピッチ２２ｍｍの等間隔の下側等間隔区域（Ｆ−Ｄ間）を設けている。
【００４３】
このように、このラック本体１は、両側内壁面１ａにおいて、係止孔１ｂが所定ピッチで上下等間隔に配列されている等間隔区域を上下に３段有し（Ａ−Ｅ間、Ｂ−Ｃ間、Ｆ−Ｄ間）、この上下等間隔に配列されている等間隔区域の間に係止孔間隔が所定ピッチより小さい変則配置部（Ｅ、Ｆの位置）を設けている。
【００４４】
次に図５〜図９を参照して、本発明の実施の形態に係る物品保管庫２０の物品棚１０の作用について説明する。
【００４５】
図５は、ラック本体１に等間隔３段で棚板２を取り付けた状態を示す説明図であり、この状態においては、中瓶４ａを上下に３段配置することができる。
【００４６】
図６は、ラック本体１に不等間隔３段（上段中段が小スペース、下段が大スペース）で棚板２を取り付けた状態を示す説明図であり、図７は、ラック本体１に不等間隔３段（上段下段が小スペース、中段が大スペース）で棚板２を取り付けた状態を示す説明図であり、図８は、ラック本体１に不等間隔３段（中段下段が小スペース、上段が大スペース）で棚板２を取り付けた状態を示す説明図である。このように、これら３つの状態を使い分けることにより、それぞれ1個の大瓶４ｂと２個の小瓶４ｃとを図示のように上下に任意の配列で配置することができるようになっている。
【００４７】
そして、図９は、ラック本体１に等間隔４段で棚板２を取り付けた状態を示す説明図であり、さらに小さな瓶を上下に４段配置することができるようになっている。
【００４８】
以上説明したように、本発明の実施の形態に係る物品保管庫２０によれば、ラック本体１の両側内壁面１ａに複数の係止孔１ｂが設けられ、また棚板ホルダ３に突起３ａが設けられているので、棚板ホルダ３に棚板２の両側を支持させながら突起３ａを係止孔１ｂに係合させて、間接的に上下複数段の棚板２をラック本体１に収納することができる。このように、係合突起３ａを有する棚板ホルダ３を用いることにより、直接ラック本体１に棚板２を係止する場合と比較して、係止孔１ｂの開口を小さくした状態であっても上下方向の振動に対して棚板２のラック本体１からの離脱を起こり難くすることができる。
【００４９】
また、このラック本体１には、係止孔１ｂが所定ピッチ（Ｐ＝２２ｍｍ）で等間隔に配列されている等間隔区域を複数有するとともに、この等間隔区域の間に係止孔間隔が所定ピッチより小さい変則配置部（係止孔間隔α＝１１ｍｍ＜Ｐ）を設けているので、棚板２の位置の選択により棚板２間隔を所定ピッチの整数倍（ｎＰ）としたり、（ｎＰ＋α）としたりすることができ、棚板２のレイアウトの多様性を高めることができる。
【００５０】
その結果、きめ細かくレイアウトを調整して大きさの異なる複数種類の物品を合理的に保管することができるようになる。
【００５１】
さらに、このことにより、α分の間隔調整を可能としつつ大部分はＰのピッチでよいので、全体の係止孔１ｂのピッチを一律に小さくする必要がなくなり、ラック本体１の棚板支持剛性を低下させずに済む。
【００５２】
また、ラック本体１（高さＨ）を上下に３等分し、中間の区域に所定ピッチで棚板が等間隔に並ぶ中間等間隔区域（Ｂ−Ｃ間）を設けるとともに、所定ピッチの１／２の間隔の変則配置部（Ｅ、Ｆの位置）と、上側等間隔区域（Ａ−Ｅ間）と、下側等間隔区域（Ｆ−Ｄ間）とをそれぞれ設けているので、等間隔３段に配列できる他に、棚板２上スペースがＨ／３＋Ｐの大スペースを1段Ｈ／３−１／２Ｐの小スペースを２段とする不等間隔３段配置が可能となる。しかも、大スペースを下段、中段、上段のいずれにも配置することができる。
【００５３】
この本発明の実施の形態に係る物品保管庫２０によれば、中間等間隔区域は、１０等分する位置に係止孔１ｂを配列するように所定ピッチＰを設定しているので、所定ピッチＰ＝Ｈ／３／１０＝Ｈ／３０となり、また、所定ピッチＰの１／２の間隔は、Ｈ／６０となる。この結果、上側変則配置部から上に所定ピッチ２つ目の位置は、上からＨ／３−Ｈ／６０−２×Ｈ／３０＝（２０−１−４）Ｈ／６０＝Ｈ／４の高さとなり、下側変則配置部から下に所定ピッチ２つ目の位置は、２Ｈ／３＋Ｈ／６０＋２×Ｈ／３０＝（４０＋１＋４）Ｈ／６０＝３Ｈ／４となる他、ラック本体１（高さＨ）を上下に２等分することもできるので、等間隔４段にも配列することができるようになる。このように、レイアウトの多様性と、ラック本体１の棚板支持剛性と、外観との間でバランスのよい物品棚１０とすることができる。
【００５４】
また、本発明の実施の形態に係る物品保管庫２０によれば、棚板２の側壁に複数個設けられた溝を選択してこの溝に仕切り板を差し込むような場合と異なり、棚板２の側壁２ｂに沿って長手方向に仕切り板２ａをスライドさせるだけで、仕切り板２ａの仕切り位置を無段階に簡単に変更することができる。その結果、棚板２のスペース効率が改善される。また物品の転倒もより良く防止される。
【００５５】
また、この仕切り板２ａのスライド部２ｃは、仕切り板２ａの一端にのみ設けられているので、仕切り板２ａにスライド方向の力が働いても、この力の仕切り板２ａにかかる曲げモーメントにより、スライド部２ｃの摩擦が増加する結果、スライド部２ｃが両端に設けられた場合と比較して、不用意に位置がずれることがなく、薬瓶４の転倒もより良く防止される。
【００５６】
また、本発明の実施の形態に係る物品保管庫２０によれば、仕切り棒２ｄが物品を棚板２の幅方向に仕切るとともに、仕切り板２ａに設けられた仕切り棒挿通孔２ｅがこの仕切り棒２ｄを挿通することができるので、薬瓶４を棚板２の幅方向に仕切った状態で、かつ仕切り棒２ｄを取り付けたままで、仕切り板２ａをスライドさせて長手方向の仕切り位置を変更することができる。
【００５７】
また、仕切り板２ａに上下左右に複数列の仕切り棒挿通孔２ｅを設けているので、さまざまな高さや幅を有する薬瓶４に対応することができる。
【００５８】
また、規制棒２ｆが、棚板２の上下方向の溝に沿ってスライド可能となることにより開放姿勢と、規制姿勢との間で姿勢変更可能となっているので、例えば、規制棒２ｆを棚板２の斜め方向の溝に沿うようにスライドさせる場合と比較して、金型を成形する時に溝部をスライドコアで抜く必要がない。その結果、棚板２の金型が単純なものになり、製作コストを低減させることができる。
【００５９】
さらに、本発明の実施の形態に係る物品保管庫２０によれば、上述のラック本体１を棚板２の幅方向に並べるとともに、それぞれのラック本体１を棚板２の長手方向に引き出し可能とするので、レイアウトの多様性に対応しながら多数の物品を収納することができる使い勝手の良い物品保管庫２０を実現することができる。
【００６０】
そして、本発明の実施の形態に係る物品保管庫２０によれば、特に薬品類については大瓶４ｂ、小瓶４ｃなど多種多様な形態が存在するので、これらのレイアウトをし易く、無駄なスペースの少ない物品保管庫２０を実現することができる。
【００６１】
上述した実施の形態は本発明の好ましい具体例を例示したものに過ぎず、本発明は上述した実施の形態に限定されない。
【００６２】
例えば、本発明に係る物品保管庫２０は、物品として、必ずしも薬品に限定されない。例えば書物や、ファイルなどその他さまざまな物品に適用可能である。
【００６３】
物品保管庫２０、ラック本体１は必ずしもステンレス製の図示の形状に限定されない。また棚板２も必ずしも合成樹脂製の図示の形状に限定されない。それぞれ木製や、合板製など、種々の材料が採用可能であり、形状も種々の設計変更が可能である。
【００６４】
棚板ホルダ３も、必ずしもステンレス製の図示の形状に限定されない。ラック本体１の係止孔１ｂに係合する突起３ａを有し、棚板２を両側で支持することにより、間接的に棚板２をラック本体１に支持するものであれば、材質、形状ともに種々の設計変更が可能である。
【００６５】
ラック本体１の高さは、必ずしも６６０ｍｍに限らず、種々の寸法に変更可能である。
【００６６】
また、所定ピッチの設定も２２ｍｍに限らず、種々の寸法に変更可能である。
【００６７】
その他、本発明の特許請求の範囲内で種々の設計変更が可能であることはいうまでもない。
【図面の簡単な説明】
【００６８】
【図１】本発明の実施の形態に係る物品保管庫の構成を示す斜視図である。
【図２】本発明の実施の形態に係る物品保管庫の棚板と棚板ホルダの構成を示す斜視図である。
【図３】本発明の実施の形態に係る物品保管庫の棚板と棚板ホルダとをラック本体に取り付ける要領を示す断面図である。
【図４】ラック本体の両側内壁面において、棚板ホルダを支持するために設けられた係止孔の上下の配列と寸法を示す説明図である。
【図５】ラック本体に等間隔３段で棚板を取り付けた状態を示す説明図である。
【図６】ラック本体に不等間隔３段（上段中段が小スペース、下段が大スペース）で棚板を取り付けた状態を示す説明図である。
【図７】ラック本体に不等間隔３段（上段下段が小スペース、中段が大スペース）で棚板を取り付けた状態を示す説明図である。
【図８】ラック本体に不等間隔３段（中段下段が小スペース、上段が大スペース）で棚板を取り付けた状態を示す説明図である。
【図９】ラック本体に等間隔４段で棚板を取り付けた状態を示す説明図である。
【符号の説明】
【００６９】
１      ラック本体
１ａ    内壁面
１ｂ    係止孔
２      棚板
２ａ    仕切り板
２ｂ    側壁
２ｃ    スライド部
２ｄ    仕切り棒
２ｅ    仕切り棒挿通孔
３      棚板ホルダ
３ａ    突起
１０    物品棚
２０    物品保管庫
Ｅ、Ｆ  変則配置部
【図１】
2005112536.tif 000003
【図２】
2005112536.tif 000004
【図３】
2005112536.tif 000005
【図４】
2005112536.tif 000006
【図５】
2005112536.tif 000007
【図６】
2005112536.tif 000008
【図７】
2005112536.tif 000009
【図８】
2005112536.tif 000010
【図９】
2005112536.tif 000011